(57)【要約】【課題】映像の色再現範囲の拡大を適切に図ることを可能とする投写型映像表示装置を提供する。【解決手段】映像入力信号に応じて、赤用、緑用および青用の出力信号を出力する制御部１３０と、赤用出力信号に基づいて、赤成分光Ｒを変調する液晶パネル２３０Ｒと、緑用出力信号に基づいて、緑成分光Ｇを変調する液晶パネル２３０Ｇと、青用出力信号に基づいて、青成分光Ｂを変調する液晶パネル２３０Ｂと、各液晶パネルから出射された光を合成するクロスダイクロイックキューブ２５０と、を備える投写型映像表示装置において、黄成分光Ｙｅの偏光状態を調整する偏光切替素子２３０Ｙｅをさらに備え、偏光切替素子から出射された黄成分光は、液晶パネルのうちいずれかの光変調素子に入射し、制御部は、映像入力信号のうち、黄成分光が再現する色の補色とは異なる色に対応する信号である参照信号に基づいて、偏光切替素子を制御する。【選択図】図１９
2010186184.tif 000002
【特許請求の範囲】
【請求項１】
映像入力信号に応じて、第１色用出力信号、第２色用出力信号および第３色用出力信号を出力する制御部と、前記第１色用出力信号に基づいて、第１色成分光を変調する第１光変調素子と、前記第２色用出力信号に基づいて、第２色成分光を変調する第２光変調素子と、前記第３色用出力信号に基づいて、第３色成分光を変調する第３光変調素子と、前記第１光変調素子、前記第２光変調素子および前記第３光変調素子から出射された光を合成する色合成部と、を備える投写型映像表示装置において、
第４色成分光の偏光状態を調整する偏光切替素子をさらに備え、
前記偏光切替素子から出射された前記第４色成分光は、前記第１光変調素子、前記第２光変調素子及び前記第３光変調素子のうちいずれかの光変調素子に入射し、
前記制御部は、前記映像入力信号のうち、前記第４色成分光が再現する色の補色とは異なる色に対応する信号である参照信号に基づいて、前記偏光切替素子を制御することを特徴とする投写型映像表示装置。
【請求項２】
前記制御部は、前記第４色成分光の光量を制御するための輝度パラメータβ１を用いて前記第４色用出力信号を生成し、
前記輝度パラメータβ１は、前記映像の彩度の上昇に伴って前記第４色成分光の光量が減少するように定められたパラメータであることを特徴とする請求項１に記載の投写型映像表示装置。
【請求項３】
前記制御部は、前記第４色成分光の光量を制御するための輝度パラメータβ２を用いて前記第４色用出力信号を生成し、
前記輝度パラメータβ２は、前記映像の輝度が所定の閾値となるまで前記第４色成分光の光量が増大し、前記映像の輝度が前記所定の閾値を超えてから前記第４色成分光の光量が減少するように定められたパラメータであることを特徴とする請求項１に記載の投写型映像表示装置。
【請求項４】
前記制御部は、制御の対象である対象領域と前記対象領域に隣接する隣接領域との相関に基づいて、前記対象領域に対応する前記第４色用出力信号を生成することを特徴とする請求項１に記載の投写型映像表示装置。
【請求項５】
前記制御部は、制御の対象である対象領域と前記対象領域に隣接する隣接領域との相関に基づいて、前記対象領域に対応する前記参照信号の減算量を制御することを特徴とする請求項１に記載の投写型映像表示装置。
【請求項６】
前記制御部は、前記映像入力信号に基づいて、背景領域及び前景領域を検出し、
前記背景領域及び前記前景領域のうち、動きベクトルが小さい領域における前記第４色成分光の光量が、前記動きベクトルの大きい領域における前記第４色成分光の光量よりも増大するように、前記第４色用出力信号を生成することを特徴とする請求項１に記載の投写型映像表示装置。
【請求項７】
前記制御部は、前記第４色用出力信号に応じて、前記参照信号の減算量を算出し、
前記第４色用出力信号と前記参照信号の減算量との差分に応じて、前記映像入力信号のうち、前記第４色成分光が再現する色の補色に対応する信号の増加量を算出することを特徴とする請求項１に記載の投写型映像表示装置。
【請求項８】
前記制御部は、前記映像入力信号のうち、前記第４色成分光が再現する色の補色とは異なる色に対応する信号である参照信号に基づいて、前記第４色用出力信号を生成するとともに、
前記参照信号について減算して、前記赤用出力信号、前記緑用出力信号及び前記青用出力信号を生成することを特徴とする請求項１に記載の投写型映像表示装置。
【発明の詳細な説明】
【技術分野】
【０００１】
本発明は、赤成分光に対応する赤用入力信号、緑成分光に対応する緑用入力信号及び青成分光に対応する青用入力信号に応じて、赤用出力信号、緑用出力信号、青用出力信号及び第４色用出力信号を生成する投写型映像表示装置に関する。
【背景技術】
【０００２】
従来、赤成分光を変調する赤用液晶パネルと、緑成分光を変調する緑用液晶パネルと、青成分光を変調する青用液晶パネルとを備えた３板式の投写型映像表示装置が一般的に広く知られている。
【０００３】
また、輝度の向上や消費電力の低減を目的として、赤成分光、緑成分光及び青成分光に加えて、第４色成分光（例えば、白成分光）を利用した投写型映像表示装置も提案されている（例えば、特許文献１）。
【０００４】
具体的には、投写型映像表示装置では、赤成分光、緑成分光及び青成分光の輝度成分を白成分光で代替することによって、スクリーン上に投写される映像の輝度向上や光源の消費電力低減が図られている。
【特許文献１】特開２００４−２８０１０８号公報（請求項１、［００２０］、図５など）
【発明の開示】
【発明が解決しようとする課題】
【０００５】
しかしながら、上述した投写型映像表示装置では、白成分光を追加することによって、スクリーン上に投写される映像の輝度向上を図ることは可能であるが、映像の色再現範囲の拡大を適切に図ることができない。
【０００６】
そこで、本発明は、上述した課題を解決するためになされたものであり、映像の色再現範囲の拡大を適切に図ることを可能とする投写型映像表示装置を提供することを目的とする。
【課題を解決するための手段】
【０００７】
本発明の一の特徴は、投写型映像表示装置であって、映像入力信号（例えば、赤入力信号Ｒｉｎ、緑入力信号Ｇｉｎおよび青入力信号Ｂｉｎ）に応じて、第１色用出力信号（例えば、赤用出力信号Ｒｏｕｔ）、第２色用出力信号（例えば、緑用出力信号Ｇｏｕｔ）および第３色用出力信号（例えば、青用出力信号Ｂｏｕｔ）を出力する制御部（制御部１３０）と、前記第１色用出力信号に基づいて、第１色成分光（例えば、赤成分光Ｒ）を変調する第１光変調素子（例えば、液晶パネル２３０Ｒ）と、前記第２色用出力信号に基づいて、第２色成分光（例えば、緑成分光Ｇ）を変調する第２光変調素子（例えば、液晶パネル２３０Ｇ）と、前記第３色用出力信号に基づいて、第３色成分光（例えば、青成分光Ｂ）を変調する第３光変調素子（例えば、液晶パネル２３０Ｂ）と、前記第１光変調素子、前記第２光変調素子および前記第３光変調素子から出射された光を合成する色合成部（クロスダイクロイックキューブ２５０）と、を備えるものである。
【０００８】
この投写型映像表示装置は、第４色成分光（例えば、黄成分光Ｙｅ）の偏光状態を調整する偏光切替素子（偏光切替素子２３０Ｙｅ）をさらに備え、前記偏光切替素子から出射された前記第４色成分光は、前記第１光変調素子、前記第２光変調素子及び前記第３光変調素子のうちいずれかの光変調素子に入射する。
【０００９】
そして、前記制御部は、前記映像入力信号のうち、前記第４色成分光が再現する色の補色（例えば、第４色成分光が黄成分光Ｙｅの場合は青成分光Ｂ）とは異なる色（例えば、第４色成分光が黄成分光Ｙｅの場合は赤成分光Ｒおよび／または緑成分光Ｇ）に対応する信号である参照信号に基づいて、前記偏光切替素子を制御することを要旨とする。
【００１０】
かかる特徴によれば、制御部が、映像入力信号のうち、第４色成分光が再現する色の補色とは異なる色に対応する信号に基づいて、第４色用出力信号を生成する。
【００１１】
従って、第４色成分光を利用することによって映像の色再現性の向上を図りながら、映像の色バランスが崩れることを抑制できる。すなわち、映像の色再現範囲の拡大を適切に図ることができる。
【００１２】
本発明の一の特徴は、上述した一の特徴において、前記制御部が、前記第４色成分光の光量を制御するための輝度パラメータβ１を用いて前記第４色用出力信号を生成し、前記輝度パラメータβ１が、前記映像の彩度の上昇に伴って前記第４色成分光の光量が減少するように定められたパラメータ（図５（ｂ）を参照）であることを要旨とする。
【００１３】
本発明の一の特徴は、上述した一の特徴において、前記制御部が、前記第４色成分光の光量を制御するための輝度パラメータβ２を用いて前記第４色用出力信号を生成し、前記輝度パラメータβ２は、前記映像の輝度が所定の閾値となるまで前記第４色成分光の光量が増大し、前記映像の輝度が前記所定の閾値を超えてから前記第４色成分光の光量が減少するように定められたパラメータ（図５（ｃ）を参照）であることを要旨とする。
【００１４】
本発明の一の特徴は、上述した一の特徴において、前記制御部が、制御の対象である対象領域と前記対象領域に隣接する隣接領域との相関に基づいて、前記対象領域に対応する前記第４色用出力信号を生成することを要旨とする。
【００１５】
本発明の一の特徴は、上述した一の特徴において、前記制御部が、制御の対象である対象領域と前記対象領域に隣接する隣接領域との相関に基づいて、前記対象領域に対応する前記参照信号の減算量を制御することを要旨とする。
【００１６】
本発明の一の特徴は、上述した一の特徴において、前記制御部が、前記映像入力信号に基づいて、背景領域及び前景領域を検出し、前記背景領域及び前記前景領域のうち、動きベクトルが小さい領域における前記第４色成分光の光量が、前記動きベクトルの大きい領域における前記第４色成分光の光量よりも増大するように、前記第４色用出力信号を生成することを要旨とする。
【００１７】
本発明の一の特徴は、上述した一の特徴において、前記制御部が、前記第４色用出力信号に応じて、前記参照信号の減算量を算出し、前記第４色用出力信号と前記参照信号の減算量との差分に応じて、前記映像入力信号のうち、前記第４色成分光が再現する色の補色に対応する信号の増加量を算出することを要旨とする。
【００１８】
本発明の一の特徴は、上述した一の特徴において、前記制御部は、前記映像入力信号のうち、前記第４色成分光が再現する色の補色とは異なる色に対応する信号である参照信号に基づいて、前記第４色用出力信号を生成するとともに、前記参照信号について減算して、前記赤用出力信号、前記緑用出力信号及び前記青用出力信号を生成することを要旨とする。
【発明の効果】
【００１９】
本発明によれば、映像の色再現範囲の拡大を適切に図ることを可能とする映像信号変換装置及び映像表示装置を提供することができる。
【図面の簡単な説明】
【００２０】
【図１】第１実施形態に係る投写型映像表示装置１００の概略を示す図である。
【図２】第１実施形態に係る照明ユニット１２０の構成を示す図である。
【図３】第１実施形態に係るＲＧＢ色再現範囲を示す図である。
【図４】第１実施形態に係る制御部１３０の構成を示すブロック図である。
【図５】第１実施形態に係る色再現パラメータα、輝度パラメータβ１及び輝度パラメータβ２を示す図である。
【図６】第１実施形態に係る投写型映像表示装置１００の動作を示すフロー図である。
【図７】第２実施形態に係る制御部１３０の構成を示すブロック図である。
【図８】第２実施形態に係る投写型映像表示装置１００の動作を示すフロー図である。
【図９】第２実施形態に係る出力信号の算出例について説明するための図である。
【図１０】第２実施形態に係る出力信号の算出例について説明するための図である。
【図１１】第２実施形態に係る出力信号の算出例について説明するための図である。
【図１２】第２実施形態に係る出力信号の算出例について説明するための図である。
【図１３】第２実施形態に係る出力信号の算出例について説明するための図である。
【図１４】第２実施形態に係る出力信号の算出例について説明するための図である。
【図１５】第３実施形態に係る対象領域及び隣接領域について説明するための図である。
【図１６】第３実施形態に係る出力信号の算出例について説明するための図である。
【図１７】第３実施形態に係る出力信号の算出例について説明するための図である。
【図１８】第４実施形態に係る制御部１３０の構成を示すブロック図である。
【図１９】第５実施形態に係る照明ユニット３２０の構成を示す図である。
【図２０】第５実施形態に係る液晶パネル３０Ｙｅを示す図である。
【図２１】第５実施形態に係る液晶パネル３０Ｙｅと偏光板２３１Ｇとの組合せを示す図である。
【図２２】第５実施形態に係る液晶パネル２３０Ｇの透過率について説明するための図である。
【図２３】従来手法の第１例、従来手法の第２例及び第６実施形態の関係について示す図である。
【発明を実施するための形態】
【００２１】
以下において、本発明の実施形態に係る投写型映像表示装置について、図面を参照しながら説明する。なお、以下の図面の記載において、同一又は類似の部分には、同一又は類似の符号を付している。
【００２２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２３】
［第１実施形態］
（投写型映像表示装置の概略）
以下において、第１実施形態に係る投写型映像表示装置の概略について、図面を参照しながら説明する。図１は、第１実施形態に係る投写型映像表示装置１００の概略を示す図である。
【００２４】
図１に示すように、投写型映像表示装置１００は、投写レンズ１１０を有しており、投写レンズ１１０によって拡大された映像光をスクリーン２００上に投写する。投写型映像表示装置１００は、後述するように、赤成分光Ｒ、緑成分光Ｇ及び青成分光Ｂに加えて、黄成分光Ｙｅを利用する。
【００２５】
（照明ユニットの概略構成）
以下において、第１実施形態に係る照明ユニットの概略構成について、図面を参照しながら説明する。図２は、第１実施形態に係る照明ユニット１２０の概略構成を示す図である。図２では、光源１０が発する光を均質化するフライアイレンズ、光源１０が発する光の偏光方向を揃えるＰＢＳ（Ｐｏｌａｒｉｚｅｄ  Ｂｅａｍ  Ｓｐｌｉｔｔｅｒ）などが省略されていることに留意すべきである。
【００２６】
図２に示すように、照明ユニット１２０は、複数の光源１０（光源１０Ｒ、光源１０Ｇ、光源１０Ｂ、光源１０Ｙｅ）と、複数の液晶パネル３０（液晶パネル３０Ｒ、液晶パネル３０Ｇ、液晶パネル３０Ｂ及び液晶パネル３０Ｙｅ）と、複数のダイクロイックキューブ（ダイクロイックキューブ５１〜ダイクロイックキューブ５３）と、複数のレンズ（レンズ７１〜レンズ７８）と投写レンズ１１０とを有する。
【００２７】
光源１０Ｒは、赤成分光Ｒを発するＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの個体光源である。同様に、光源１０Ｇ、光源１０Ｂ及び光源１０Ｙｅは、緑成分光Ｇ、青成分光Ｂ及び黄成分光Ｙｅを発するＬＥＤやＬＤなどの個体光源である。
【００２８】
液晶パネル３０Ｒは、後述するように、赤用出力信号に基づいて赤成分光Ｒを変調する。同様に、液晶パネル３０Ｇ、液晶パネル３０Ｂ及び液晶パネル３０Ｙｅは、緑用出力信号、青用出力信号及び黄用出力信号に基づいて、緑成分光Ｇ、青成分光Ｂ及び黄成分光Ｙｅを変調する。
【００２９】
ここで、赤用出力信号、緑用出力信号及び青用出力信号は、後述するように、投写型映像表示装置１００に外部から供給される赤用入力信号、青用入力信号及び緑用入力信号に応じて出力される信号である。黄用出力信号は、赤用入力信号及び緑用入力信号に基づいて生成される信号である。なお、赤用入力信号及び緑用入力信号は、黄成分光Ｙｅが再現する黄色Ｙｅの補色（青色Ｂ）とは異なる色（赤色Ｒ及び緑色Ｇ）に対応する信号（参照信号）である。
【００３０】
ダイクロイックキューブ５１は、液晶パネル３０Ｂから出射される青成分光Ｂと液晶パネル３０Ｇから出射される緑成分光Ｇを合成する。ダイクロイックキューブ５１は、青成分光Ｂと緑成分光Ｇとが合成された合成光をダイクロイックキューブ５３側に出射する。
【００３１】
ダイクロイックキューブ５２は、液晶パネル３０Ｙｅから出射される黄成分光Ｙｅと液晶パネル３０Ｒから出射される赤成分光Ｒとを合成する。ダイクロイックキューブ５２は、黄成分光Ｙｅと赤成分光Ｒとが合成された合成光をダイクロイックキューブ５３側に出射する。
【００３２】
ダイクロイックキューブ５３は、ダイクロイックキューブ５１によって合成された合成光とダイクロイックキューブ５２によって合成された合成光とをさらに合成する。ダイクロイックキューブ５３は、赤成分光Ｒ、緑成分光Ｇ、青成分光Ｂ及び黄成分光Ｙｅが合成された合成光を投写レンズ１１０側に出射する。
【００３３】
レンズ７１及びレンズ７２は、光源１０Ｂが発する青成分光Ｂを集光して、液晶パネル３０Ｂに青成分光Ｂを照射する。レンズ７３及びレンズ７４は、光源１０Ｇが発する緑成分光Ｇを集光して、液晶パネル３０Ｇに緑成分光Ｇを照射する。レンズ７５及びレンズ７６は、光源１０Ｙｅが発する黄成分光Ｙｅを集光して、液晶パネル３０Ｙｅに黄成分光Ｙｅを照射する。レンズ７７及びレンズ７８は、光源１０Ｒが発する赤成分光Ｒを集光して、液晶パネル３０Ｒに赤成分光Ｒを照射する。
【００３４】
ここで、黄成分光Ｙｅは、図３に示すように、赤成分光Ｒ、緑成分光Ｇ及び青成分光Ｂが再現可能な色範囲（ＲＧＢ色再現範囲）外の色を再現可能な光である。また、黄成分光Ｙｅが再現する黄色Ｙｅは、青成分光Ｂが再現する青色Ｂの補色である。黄成分光Ｙｅが再現する黄色Ｙｅは、赤成分光Ｒが再現する赤色Ｒ及び緑成分光Ｇが再現する緑色Ｇによって置換可能である。
【００３５】
（投写型映像表示装置の機能）
以下において、第１実施形態に係る投写型映像表示装置の機能について、図面を参照しながら説明する。図４は、第１実施形態に係る投写型映像表示装置１００（制御部１３０）の機能を示すブロック図である。
【００３６】
図４に示すように、制御部１３０は、入力信号受付部１３１と、Ｙｅ置換成分算出部１３２と、パラメータ特定部１３３と、Ｙｅ成分調整部１３４と、出力部１３５とを有する。
【００３７】
入力信号受付部１３１は、赤入力信号Ｒｉｎ、緑入力信号Ｇｉｎ及び青入力信号Ｂｉｎを取得する。入力信号受付部１３１は、赤入力信号Ｒｉｎ、緑入力信号Ｇｉｎ及び青入力信号Ｂｉｎをパラメータ特定部１３３に入力する。入力信号受付部１３１は、赤入力信号Ｒｉｎ及び緑入力信号ＧｉｎをＹｅ置換成分算出部１３２に入力する。
【００３８】
なお、赤入力信号Ｒｉｎ、緑入力信号Ｇｉｎ及び青入力信号Ｂｉｎには、入力信号受付部１３１に入力される前に逆γ補正が加えられている。
【００３９】
Ｙｅ置換成分算出部１３２は、赤成分光Ｒ及び緑成分光Ｇを黄成分光Ｙｅによって代替可能な成分（Ｙｅ置換成分）に対応するＹｅ置換信号Ｗを算出する。
【００４０】
ここで、赤成分光Ｒ及び緑成分光Ｇは、赤成分光Ｒ及び緑成分光Ｇと等しい光量を有する黄成分光Ｙｅによって代替可能である。従って、赤入力信号Ｒｉｎ及び緑入力信号Ｇｉｎは、赤入力信号Ｒｉｎ及び緑入力信号Ｇｉｎと等しい信号強度を有するＹｅ置換信号Ｗによって代替可能である。
【００４１】
従って、Ｙｅ置換成分算出部１３２は、赤入力信号Ｒｉｎ及び緑入力信号Ｇｉｎに基づいて、以下の（式１）に従って、Ｙｅ置換信号Ｗを算出する。
【数１】
2010186184.tif 000003
【００４２】
なお、ｍｉｎ（Ｒｉｎ，Ｇｉｎ）は、赤入力信号Ｒｉｎ及び緑入力信号Ｇｉｎのうち、信号強度が低い入力信号である。
【００４３】
Ｙｅ置換成分算出部１３２は、赤入力信号Ｒｉｎ、緑入力信号Ｇｉｎ及びＹｅ置換信号ＷをＹｅ成分調整部１３４に入力する。
【００４４】
パラメータ特定部１３３は、赤入力信号Ｒｉｎ、緑入力信号Ｇｉｎ及び青入力信号Ｂｉｎによって再現される映像（赤色Ｒ、緑色Ｇ、青色Ｂ及び黄色Ｙｅ）の彩度及び輝度を算出する。続いて、パラメータ特定部１３３は、図５（ａ）〜図５（ｃ）を参照して、色再現パラメータα及び輝度パラメータβ１を特定し、特定した色再現パラメータα及び輝度パラメータβ１をＹｅ成分調整部１３４に入力する。
【００４５】
具体的には、図５（ａ）に示すように、色再現パラメータαは、映像（特に、黄色Ｙｅ）の彩度がＴｈ１となるまでは一定である。一方、色再現パラメータαは、映像の彩度がＴｈ１を超えると、映像の彩度の上昇に伴って増大するように定められている。すなわち、映像の彩度とホワイトポイントとの距離が一定距離以上において、映像の彩度がホワイトポイントから離れれば離れるほど、黄成分光Ｙｅの光量が増大するように色再現パラメータαが定められている。これによって、赤成分光Ｒ及び緑成分光Ｇによって再現できない範囲の黄色Ｙｅを黄成分光Ｙｅによって再現できるため、映像の色再現性が向上する。
【００４６】
なお、ホワイトポイントとは、白色を再現する際に各色成分光が組み合わされるポイントであることに留意すべきである。
【００４７】
図５（ｂ）に示すように、輝度パラメータβ１は、映像（特に、青色Ｂ）の彩度がＴｈ２となるまでは、映像の彩度の上昇に伴って減少するように定められている。一方、輝度パラメータβ１は、映像の彩度がＴｈ２を超えると一定である。すなわち、映像の彩度とホワイトポイントとの距離が一定距離以内において、映像の彩度がホワイトポイントから離れれば離れるほど、黄成分光Ｙｅの光量が減少するように輝度パラメータβ１が定められている。
【００４８】
図５（ｃ）に示すように、輝度パラメータβ２は、映像の輝度がＴｈ３となるまで増大し、映像の輝度がＴｈ３を超えてから減少するように定められている。すなわち、映像の輝度がＴｈ３であるときをピークとして、黄成分光Ｙｅの光量が少なくなるように輝度パラメータβ２が定められている。これによって、映像の輝度が低い場合における「黒浮き」や映像の輝度が高い場合における「白とび」が抑制される。
【００４９】
Ｙｅ成分調整部１３４は、赤入力信号Ｒｉｎ、緑入力信号Ｇｉｎ及びＹｅ置換信号Ｗに基づいて、赤調整信号Ｒ’、緑調整信号Ｇ’及び黄調整信号Ｙｅ’を算出する。ここで、第１実施形態では、Ｙｅ成分調整部１３４は、赤調整信号Ｒ’、緑調整信号Ｇ’及び黄調整信号Ｙｅ’に算出において、色再現パラメータα及び輝度パラメータβ１を用いる。具体的には、Ｙｅ成分調整部１３４は、以下の（式２）〜（式４）に基づいて、赤調整信号Ｒ’、緑調整信号Ｇ’及び黄調整信号Ｙｅ’を算出する。
【数２】
2010186184.tif 000004
【００５０】
出力部１３５は、赤用出力信号Ｒｏｕｔ、緑用出力信号Ｇｏｕｔ、青用出力信号Ｂｏｕｔ及び黄用出力信号Ｙｅｏｕｔを各液晶パネル３０に出力する。具体的には、出力部１３５は、赤調整信号Ｒ’を赤用出力信号Ｒｏｕｔとして液晶パネル３０Ｒに出力する。同様に、出力部１３５は、緑調整信号Ｇ’及び黄調整信号Ｙｅ’を緑用出力信号Ｇｏｕｔ及び黄用出力信号Ｙｅｏｕｔとして、液晶パネル３０Ｇ及び液晶パネル３０Ｙｅに出力する。一方で、出力部１３５は、青入力信号Ｂｉｎをそのまま青用出力信号Ｂｏｕｔとして液晶パネル３０Ｂに出力する。
【００５１】
なお、赤用出力信号Ｒｏｕｔ、緑用出力信号Ｇｏｕｔ、青用出力信号Ｂｏｕｔ及び黄用出力信号Ｙｅｏｕｔには、各液晶パネル３０に入力される前にγ補正が加えられる。
【００５２】
（投写型映像表示装置の動作）
以下において、第１実施形態に係る投写型映像表示装置の動作について、図面を参照しながら説明する。図６は、第１実施形態に係る投写型映像表示装置１００の動作を示すフロー図である。
【００５３】
図６に示すように、ステップ１０において、投写型映像表示装置１００は、赤入力信号Ｒｉｎ、緑入力信号Ｇｉｎ及び青入力信号Ｂｉｎを受付ける。
【００５４】
ステップ２０において、投写型映像表示装置１００は、赤入力信号Ｒｉｎ及び緑入力信号Ｇｉｎに基づいて、Ｙｅ置換信号Ｗを算出する。具体的には、投写型映像表示装置１００は、以下の（式１）に基づいてＹｅ置換信号Ｗを算出する。
【数３】
2010186184.tif 000005
【００５５】
なお、ｍｉｎ（Ｒｉｎ，Ｇｉｎ）は、赤入力信号Ｒｉｎ及び緑入力信号Ｇｉｎのうち、信号強度が低い入力信号である。
【００５６】
ステップ３０において、投写型映像表示装置１００は、映像の彩度及び輝度に基づいて、色再現パラメータα及び輝度パラメータβ１を特定する。具体的には、投写型映像表示装置１００は、上述した図５を参照して輝度パラメータβ１を特定する。
【００５７】
ステップ４０において、投写型映像表示装置１００は、Ｙｅ置換信号Ｗに基づいて、赤調整信号Ｒ’、緑調整信号Ｇ’及び黄調整信号Ｙｅ’を算出する。具体的には、投写型映像表示装置１００は、以下の（式２）〜（式４）に基づいて各調整信号を算出する。
【数４】
2010186184.tif 000006
【００５８】
ステップ５０において、投写型映像表示装置１００は、赤用出力信号Ｒｏｕｔ、緑用出力信号Ｇｏｕｔ、青用出力信号Ｂｏｕｔ及び黄用出力信号Ｙｅｏｕｔを出力する。具体的には、投写型映像表示装置１００は、赤調整信号Ｒ’を赤用出力信号Ｒｏｕｔとして液晶パネル３０Ｒに出力する。同様に、投写型映像表示装置１００は、緑調整信号Ｇ’及び黄調整信号Ｙｅ’を緑用出力信号Ｇｏｕｔ及び黄用出力信号Ｙｅｏｕｔとして、液晶パネル３０Ｇ及び液晶パネル３０Ｙｅに出力する。一方で、投写型映像表示装置１００は、青入力信号Ｂｉｎをそのまま青用出力信号Ｂｏｕｔとして液晶パネル３０Ｂに出力する。
【００５９】
（作用及び効果）
第１実施形態に係る投写型映像表示装置１００によれば、黄成分光Ｙｅが、赤成分光Ｒ、緑成分光Ｇ及び青成分光Ｂによって再現可能なＲＧＢ色再現範囲外の色を再現する光であり、制御部１３０が、赤入力信号Ｒｉｎ、緑入力信号Ｇｉｎ及び青入力信号Ｂｉｎのうち、黄成分光Ｙｅが再現する色の補色（青色Ｂ）とは異なる色（赤色Ｒ及び緑色Ｇ）に対応する赤入力信号Ｒｉｎ及び緑入力信号Ｇｉｎに基づいて、黄用出力信号Ｙｅｏｕｔを生成する。
【００６０】
従って、黄成分光Ｙｅを利用することによって映像の色再現性の向上を図りながら、映像の色バランスが崩れることを抑制できる。すなわち、映像の色再現範囲の拡大を適切に図ることができる。
【００６１】
制御部１３０が、映像（特に、黄色Ｙｅ）の彩度の上昇に伴って黄成分光Ｙｅの光量が増大するように定められた色再現パラメータαを用いて、黄用出力信号Ｙｅｏｕｔを生成する。従って、映像の色再現性を効果的に向上することができる。
【００６２】
制御部１３０が、映像の彩度の上昇に伴って黄成分光Ｙｅの光量が減少するように定められた輝度パラメータβ１を用いて、黄用出力信号Ｙｅｏｕｔを生成する。従って、映像（特に、青色Ｂ）の彩度が高い場合に、黄成分光Ｙｅによって色純度が低下することを抑制しながら、ホワイトポイント近傍において映像の輝度向上を図ることができる。
【００６３】
制御部１３０が、映像の輝度がＴｈ３であるときをピークとして、黄成分光Ｙｅの光量が少なくなるように定められた輝度パラメータβ２を用いて黄用出力信号Ｙｅｏｕｔを生成する場合には、映像の輝度が低い場合における「黒浮き」や映像の輝度が高い場合における「白とび」が抑制される。
【００６４】
［第２実施形態］
以下において、第２実施形態について図面を参照しながら説明する。以下においては、上述した第１実施形態と第２実施形態との相違点について主として説明する。
【００６５】
具体的には、上述した第１実施形態では、投写型映像表示装置１００は、青入力信号Ｂｉｎをそのまま青用出力信号Ｂｏｕｔとして液晶パネル３０Ｂに出力する。これに対して、第２実施形態では、投写型映像表示装置１００は、赤成分光Ｒ、緑成分光Ｇ、青成分光Ｂ及び黄成分光Ｙｅの視感度を考慮して、赤用出力信号Ｒｏｕｔ、緑用出力信号Ｇｏｕｔ、青用出力信号Ｂｏｕｔ及び黄用出力信号Ｙｅｏｕｔを調整する。
【００６６】
（投写型映像表示装置の機能）
以下において、第２実施形態に係る投写型映像表示装置の機能について、図面を参照しながら説明する。図７は、第２実施形態に係る投写型映像表示装置１００（制御部１３０）の機能を示すブロック図である。なお、図７では、図４と同様の構成については同様の符号を付していることに留意すべきである。
【００６７】
図７に示すように、制御部１３０は、図４に示した構成に加えて、共通成分抽出部１３６と、視感度調整部１３７とを有する。
【００６８】
共通成分抽出部１３６は、赤入力信号Ｒｉｎ、緑入力信号Ｇｉｎ及び青入力信号Ｂｉｎに共通する信号強度共通成分Ｗ２を抽出する。具体的には、共通成分抽出部１３６は、以下の（式５）に基づいて、信号強度共通成分Ｗ２を算出する。
【数５】
2010186184.tif 000007
【００６９】
なお、ｍｉｎ（Ｒｉｎ，Ｇｉｎ，Ｂｉｎ）は、赤入力信号Ｒｉｎ、緑入力信号Ｇｉｎ及び青入力信号Ｂｉｎのうち、信号強度が低い入力信号である。第２実施形態では、青入力信号Ｂｉｎの信号強度は、赤入力信号Ｒｉｎ及び緑入力信号Ｇｉｎの信号強度よりも低いことに留意すべきである。
【００７０】
続いて、共通成分抽出部１３６は、赤入力信号Ｒｉｎ及び緑入力信号Ｇｉｎから信号強度共通成分Ｗ２を除いた赤用中間信号Ｒ１及び緑用中間信号Ｇ１を算出する。具体的には、共通成分抽出部１３６は、以下の（式６）〜（式８）に基づいて、赤用中間信号Ｒ１及び緑用中間信号Ｇ１を算出する。
【数６】
2010186184.tif 000008
【００７１】
なお、第２実施形態では、青入力信号Ｂｉｎの信号強度は、赤入力信号Ｒｉｎ及び緑入力信号Ｇｉｎの信号強度よりも低いため、Ｂ１が０となることは勿論である。
【００７２】
視感度調整部１３７は、信号強度共通成分Ｗ２に基づいて、赤成分光Ｒ、緑成分光Ｇ、青成分光Ｂ及び黄成分光Ｙｅの視感度を考慮した赤用中間信号Ｒ３、緑用中間信号Ｇ３、青用中間信号Ｂ３及び黄用中間信号Ｙｅ３を算出する。ここで、視感度調整部１３７は、赤成分光Ｒ、緑成分光Ｇ、青成分光Ｂ及び黄成分光Ｙｅの視感度を考慮した比率（例えば、赤用比率ｒＲ＝１８７／２５５、緑用比率ｒＧ＝２５５／２５５、青用比率ｒＢ＝１２８／２５５、黄用比率ｒＹｅ＝２５５／２５５）を用いて、赤用中間信号Ｒ３、緑用中間信号Ｇ３、青用中間信号Ｂ３及び黄用中間信号Ｙｅ３を算出する。具体的には、視感度調整部１３７は、以下の（式９）〜（式１２）に基づいて、赤用中間信号Ｒ３、緑用中間信号Ｇ３、青用中間信号Ｂ３及び黄用中間信号Ｙｅ３を算出する。
【数７】
2010186184.tif 000009
【００７３】
上述したＹｅ置換成分算出部１３２は、赤成分光Ｒ及び緑成分光Ｇを黄成分光Ｙｅによって代替可能な成分（Ｙｅ置換成分）に対応するＹｅ置換信号Ｗを算出する。具体的には、Ｙｅ置換成分算出部１３２は、赤用中間信号Ｒ１及び緑用中間信号Ｇ１に基づいて、以下の（式１３）に従って、Ｙｅ置換信号Ｗを算出する。
【数８】
2010186184.tif 000010
【００７４】
なお、ｍｉｎ（Ｒ１，Ｇ１）は、赤用中間信号Ｒ１及び緑用中間信号Ｇ１のうち、信号強度が低い入力信号である。
【００７５】
上述したＹｅ成分調整部１３４は、赤用中間信号Ｒ１、緑用中間信号Ｇ１及びＹｅ置換信号Ｗに基づいて、赤調整信号Ｒ２、緑調整信号Ｇ２及び黄調整信号Ｙｅ２を算出する。ここで、Ｙｅ成分調整部１３４は、赤調整信号Ｒ２、緑調整信号Ｇ２及び黄調整信号Ｙｅ２に算出において、色再現パラメータα及び輝度パラメータβ１を用いる。具体的には、Ｙｅ成分調整部１３４は、以下の（式１４）〜（式１６）に基づいて、赤調整信号Ｒ２、緑調整信号Ｇ２及び黄調整信号Ｙｅ２を算出する。
【数９】
2010186184.tif 000011
【００７６】
出力部１３５は、赤用出力信号Ｒｏｕｔ、緑用出力信号Ｇｏｕｔ、青用出力信号Ｂｏｕｔ及び黄用出力信号Ｙｅｏｕｔを各液晶パネル３０に出力する。具体的には、出力部１３５は、赤調整信号Ｒ２と赤用中間信号Ｒ３とを合算した信号を赤用出力信号Ｒｏｕｔとして液晶パネル３０Ｒに出力する。同様に、出力部１３５は、緑調整信号Ｇ２と緑用中間信号Ｇ３とを合算した信号を緑用出力信号Ｇｏｕｔとして液晶パネル３０Ｇに出力し、黄調整信号Ｙｅ２と黄用中間信号Ｙｅ３とを合算した信号を黄用出力信号Ｙｅｏｕｔとして液晶パネル３０Ｙｅに出力する。一方で、出力部１３５は、青用中間信号Ｂ３を青用出力信号Ｂｏｕｔとして液晶パネル３０Ｂに出力する。
【００７７】
（投写型映像表示装置の動作）
以下において、第２実施形態に係る投写型映像表示装置の動作について、図面を参照しながら説明する。図８は、第２実施形態に係る投写型映像表示装置１００の動作を示すフロー図である。
【００７８】
図８に示すように、ステップ１０Ａにおいて、投写型映像表示装置１００は、赤入力信号Ｒｉｎ、緑入力信号Ｇｉｎ及び青入力信号Ｂｉｎを受付ける。
【００７９】
ステップ１２Ａにおいて、投写型映像表示装置１００は、赤入力信号Ｒｉｎ、緑入力信号Ｇｉｎ及び青入力信号Ｂｉｎに共通する信号強度共通成分Ｗ２を抽出する。具体的には、投写型映像表示装置１００は、以下の（式５）に基づいて、信号強度共通成分Ｗ２を算出する。
【数１０】
2010186184.tif 000012
【００８０】
なお、ｍｉｎ（Ｒｉｎ，Ｇｉｎ，Ｂｉｎ）は、赤入力信号Ｒｉｎ、緑入力信号Ｇｉｎ及び青入力信号Ｂｉｎのうち、信号強度が低い入力信号である。
【００８１】
ステップ１４Ａにおいて、投写型映像表示装置１００は、信号強度共通成分Ｗ２に基づいて、赤成分光Ｒ、緑成分光Ｇ、青成分光Ｂ及び黄成分光Ｙｅの視感度を考慮した赤用中間信号Ｒ３、緑用中間信号Ｇ３、青用中間信号Ｂ３及び黄用中間信号Ｙｅ３を算出する。具体的には、投写型映像表示装置１００は、以下の（式９）〜（式１２）に基づいて、赤用中間信号Ｒ３、緑用中間信号Ｇ３、青用中間信号Ｂ３及び黄用中間信号Ｙｅ３を算出する。
【数１１】
2010186184.tif 000013
【００８２】
なお、赤用比率ｒＲ、緑用比率ｒＧ、青用比率ｒＢ及び黄用比率ｒＹｅは、赤成分光Ｒ、緑成分光Ｇ、青成分光Ｂ及び黄成分光Ｙｅの視感度を考慮した比率である。
【００８３】
ステップ２０Ａにおいて、投写型映像表示装置１００は、以下の（式６）〜（式８）に基づいて、赤用中間信号Ｒ１及び緑用中間信号Ｇ１を算出する。
【数１２】
2010186184.tif 000014
【００８４】
続いて、投写型映像表示装置１００は、赤用中間信号Ｒ１及び緑用中間信号Ｇ１に基づいて、以下の（式１３）に従って、Ｙｅ置換信号Ｗを算出する。
【数１３】
2010186184.tif 000015
【００８５】
なお、ｍｉｎ（Ｒ１，Ｇ１）は、赤用中間信号Ｒ１及び緑用中間信号Ｇ１のうち、信号強度が低い入力信号である。
【００８６】
ステップ３０Ａにおいて、投写型映像表示装置１００は、映像の彩度及び輝度に基づいて、色再現パラメータα及び輝度パラメータβ１を特定する。具体的には、投写型映像表示装置１００は、上述した図５を参照して輝度パラメータβ１を特定する。
【００８７】
ステップ４０Ａにおいて、投写型映像表示装置１００は、赤用中間信号Ｒ１、緑用中間信号Ｇ１及びＹｅ置換信号Ｗに基づいて、赤調整信号Ｒ２、緑調整信号Ｇ２及び黄調整信号Ｙｅ２を算出する。具体的には、投写型映像表示装置１００は、以下の（式１４）〜（式１６）に基づいて、赤調整信号Ｒ２、緑調整信号Ｇ２及び黄調整信号Ｙｅ２を算出する。
【数１４】
2010186184.tif 000016
【００８８】
ステップ５０Ａにおいて、投写型映像表示装置１００は、赤用出力信号Ｒｏｕｔ、緑用出力信号Ｇｏｕｔ、青用出力信号Ｂｏｕｔ及び黄用出力信号Ｙｅｏｕｔを出力する。具体的には、投写型映像表示装置１００は、赤調整信号Ｒ２と赤用中間信号Ｒ３とを合算した信号を赤用出力信号Ｒｏｕｔとして液晶パネル３０Ｒに出力する。同様に、投写型映像表示装置１００は、緑調整信号Ｇ２と緑用中間信号Ｇ３とを合算した信号を緑用出力信号Ｇｏｕｔとして液晶パネル３０Ｇに出力し、黄調整信号Ｙｅ２と黄用中間信号Ｙｅ３とを合算した信号を黄用出力信号Ｙｅｏｕｔとして液晶パネル３０Ｙｅに出力する。一方で、投写型映像表示装置１００は、青用中間信号Ｂ３を青用出力信号Ｂｏｕｔとして液晶パネル３０Ｂに出力する。
【００８９】
（出力信号の算出例）
以下において、第２実施形態に係る出力信号の算出例について、図９〜図１４を参照しながら説明する。具体的には、図９に示すように、赤入力信号Ｒｉｎ＝“２００”、緑入力信号Ｇｉｎ＝“１７０”、青入力信号Ｂｉｎ＝“１００”であるときに、赤用出力信号Ｒｏｕｔ、緑用出力信号Ｇｏｕｔ及び青用出力信号Ｂｏｕｔ及び黄用出力信号Ｙｅｏｕｔを算出するケースを例に挙げて説明する。
【００９０】
図１０に示すように、投写型映像表示装置１００は、以下の（式５）に基づいて、信号強度共通成分Ｗ２を算出する。
【数１５】
2010186184.tif 000017
【００９１】
図１１に示すように、投写型映像表示装置１００は、以下の（式６）〜（式８）に基づいて、赤用中間信号Ｒ１及び緑用中間信号Ｇ１を算出する。
【数１６】
2010186184.tif 000018
【００９２】
図１２に示すように、投写型映像表示装置１００は、以下の（式９）〜（式１２）に基づいて、赤用中間信号Ｒ３、緑用中間信号Ｇ３、青用中間信号Ｂ３及び黄用中間信号Ｙｅ３を算出する。
【数１７】
2010186184.tif 000019
【００９３】
なお、図１２では、赤用比率ｒＲ＝１８７／２５５、緑用比率ｒＧ＝２５５／２５５、青用比率ｒＢ＝１２８／２５５、黄用比率ｒＹｅ＝２５５／２５５である場合について例示していることに留意すべきである。
【００９４】
図１３に示すように、投写型映像表示装置１００は、赤用中間信号Ｒ１及び緑用中間信号Ｇ１に基づいて、以下の（式１３）に従って、Ｙｅ置換信号Ｗを算出する。
【数１８】
2010186184.tif 000020
【００９５】
続いて、投写型映像表示装置１００は、以下の（式１４）〜（式１６）に基づいて、赤調整信号Ｒ２、緑調整信号Ｇ２及び黄調整信号Ｙｅ２を算出する。
【数１９】
2010186184.tif 000021
【００９６】
なお、図１３では、色再現パラメータαとして“１”が特定され、輝度パラメータβ１として“０”が特定された場合について例示していることに留意すべきである。
【００９７】
図１４に示すように、投写型映像表示装置１００は、赤調整信号Ｒ２と赤用中間信号Ｒ３とを合算した信号を赤用出力信号Ｒｏｕｔとして液晶パネル３０Ｒに出力する。同様に、投写型映像表示装置１００は、緑調整信号Ｇ２と緑用中間信号Ｇ３とを合算した信号を緑用出力信号Ｇｏｕｔとして液晶パネル３０Ｇに出力し、黄調整信号Ｙｅ２と黄用中間信号Ｙｅ３とを合算した信号を黄用出力信号Ｙｅｏｕｔとして液晶パネル３０Ｙｅに出力する。一方で、投写型映像表示装置１００は、青用中間信号Ｂ３を青用出力信号Ｂｏｕｔとして液晶パネル３０Ｂに出力する。
【００９８】
（作用及び効果）
第２実施形態に係る投写型映像表示装置１００によれば、制御部１３０が、赤入力信号Ｒｉｎ、緑入力信号Ｇｉｎ及び青入力信号Ｂｉｎに共通する信号強度を有する信号強度共通成分Ｗ２を抽出し、視感度を考慮した比率を信号強度共通成分Ｗ２に乗算することによって、赤用中間信号Ｒ３、緑用中間信号Ｇ３、青用中間信号Ｂ３及び黄用中間信号Ｙｅ３を算出する。
【００９９】
また、制御部１３０が、赤入力信号Ｒｉｎ及び緑入力信号Ｇｉｎから信号強度共通成分Ｗ２を除いた赤用中間信号Ｒ１及び緑用中間信号Ｇ１に基づいて、赤調整信号Ｒ２、緑調整信号Ｇ２及び黄調整信号Ｙｅ２を算出する。
【０１００】
さらに、赤用出力信号Ｒｏｕｔ、緑用出力信号Ｇｏｕｔ及び黄用出力信号Ｙｅｏｕｔが、赤調整信号Ｒ２と赤用中間信号Ｒ３とを合算した信号、緑用中間信号Ｇ３と緑調整信号Ｇ２とを合算した信号及び黄調整信号Ｙｅ２と黄用中間信号Ｙｅ３とを合算した信号である。
【０１０１】
すなわち、赤入力信号Ｒｉｎ及び緑入力信号Ｇｉｎから信号強度共通成分Ｗ２を除くことによって、黄成分光Ｙｅが青成分光Ｂに混じって色バランスが悪化することを抑制することができる。従って、映像の色再現性の向上を適切に図りながら、映像の輝度の向上を適切に図ることができる。
【０１０２】
［第３実施形態］
以下において、第３実施形態について図面を参照しながら説明する。以下においては、上述した第１実施形態と第３実施形態との相違点について主として説明する。
【０１０３】
具体的には、上述した第１実施形態では、制御部１３０は、映像の彩度又は輝度に応じて、黄用出力信号Ｙｅｏｕｔを算出する。これに対して、第３実施形態では、制御部１３０は、制御の対象となる対象領域と対象領域に隣接する隣接領域との相関（高周波成分）に基づいて、対象領域に対応する黄用出力信号Ｙｅｏｕｔを算出する。
【０１０４】
なお、対象領域は、画素単位であってもよく、ブロック単位であってもよい。
【０１０５】
（投写型映像表示装置の機能）
以下において、第３実施形態に係る投写型映像表示装置の機能について、図面を参照しながら説明する。制御部１３０の機能を示すブロックは、上述した第１実施形態と同様であることに留意すべきである（図４を参照）。
【０１０６】
図１５に示すように、対象領域の水平方向の座標を“ｍ”とし、対象領域の垂直方向の座標を“ｎ”としたケースについて考える。対象領域に隣接する隣接領域は、（ｍ−１、ｎ＋１）、（ｍ、ｎ＋１）、（ｍ＋１、ｎ＋１）、（ｍ−１、ｎ）、（ｍ＋１、ｎ）、（ｍ−１、ｎ−１）、（ｍ、ｎ−１）及び（ｍ＋１、ｎ−１）の８領域である。
【０１０７】
Ｙｅ置換成分算出部１３２は、水平方向、垂直方向及び斜め方向について、対象領域と隣接領域との相関を算出する。具体的には、Ｙｅ置換成分算出部１３２は、以下の（式１７）〜（式２０）によって対象領域と隣接領域との相関を算出する。
【数２０】
2010186184.tif 000022
【０１０８】
続いて、Ｙｅ置換成分算出部１３２は、以下の（式２１）によってＹｅ置換信号Ｗａを算出する。
【数２１】
2010186184.tif 000023
【０１０９】
ここで、対象領域の輝度が高いほど、その値が大きくなるように、Ｙｅ成分重畳係数（Ｃ１）が設定されていることに留意すべきである。すなわち、対象領域の輝度が高いほど、Ｙｅ置換信号Ｗａも増大する。
【０１１０】
Ｙｅ成分調整部１３４は、以下の（式２２）によって、赤入力信号Ｒｉｎ及び緑入力信号Ｇｉｎ（参照信号）の減算量Ｗｂを算出する。
【数２２】
2010186184.tif 000024
【０１１１】
ここで、対象領域の輝度が高いほど、その値が大きくなるように、減算係数（Ｃ２）が設定されていることに留意すべきである。すなわち、対象領域の輝度が高いほど、現残量Ｗｂが減少する。
【０１１２】
続いて、Ｙｅ成分調整部１３４は、以下の（式２３）〜（式２５）によって、赤調整信号Ｒ’、緑調整信号Ｇ’及び黄調整信号Ｙｅ’を算出する。
【数２３】
2010186184.tif 000025
【０１１３】
なお、出力部１３５は、赤調整信号Ｒ’を赤用出力信号Ｒｏｕｔとして液晶パネル３０Ｒに出力する。同様に、出力部１３５は、緑調整信号Ｇ’及び黄調整信号Ｙｅ’を緑用出力信号Ｇｏｕｔ及び黄用出力信号Ｙｅｏｕｔとして、液晶パネル３０Ｇ及び液晶パネル３０Ｙｅに出力する。一方で、出力部１３５は、青入力信号Ｂｉｎをそのまま青用出力信号Ｂｏｕｔとして液晶パネル３０Ｂに出力する。
【０１１４】
ここで、Ｙｅ置換成分算出部１３２及びＹｅ成分調整部１３４は、対象領域と隣接領域との相関（ＨＰＦ＿Ｈ、ＨＰＦ＿Ｖ、ＨＰＦ＿Ｄ１及びＨＰＦ＿Ｄ２）が所定閾値を超える場合には、対象領域と隣接領域との間にエッジが設けられていると判定する。また、上述したように、対象領域の輝度が高いほど、Ｙｅ置換信号Ｗａが増大し、現残量Ｗｂが減少する。
【０１１５】
従って、映像入力信号が図１６（ａ）に示す信号である場合について考えると、図１６（ｂ）に示すように、高輝度領域では、黄成分光Ｙｅの重畳量が大きい。一方で、低輝度領域では、黄成分光Ｙｅの重畳量が小さい。
【０１１６】
また、図１６（ｃ）に示すように、高輝度領域では、赤成分光Ｒ及び緑成分光Ｇの減算量が小さい。一方で、低輝度領域では、赤成分光Ｒ及び緑成分光Ｇの減算量が大きい。
【０１１７】
この結果、図１７に示すように、図１６（ｂ）及び図１６（ｃ）を合わせると、高輝度領域では、さらに輝度が増大し、低輝度領域では、さらに輝度が減少する。すなわち、エッジが強調されることになる。
【０１１８】
［第４実施形態］
以下において、第４実施形態について図面を参照しながら説明する。以下においては、上述した第１実施形態と第４実施形態との相違点について主として説明する。
【０１１９】
具体的には、上述した第１実施形態では特に触れていないが、第４実施形態では、前景領域及び背景領域のうち、動きベクトルが小さい領域における黄成分光Ｙｅの重畳量は、動きベクトルが大きい領域における黄成分光Ｙｅの重畳量よりも大きい。
【０１２０】
（投写型映像表示装置の機能）
以下において、第４実施形態に係る投写型映像表示装置の機能について、図面を参照しながら説明する。図１８は、第４実施形態に係る投写型映像表示装置（制御部１３０）の機能を示すブロックである。なお、図１８では、図４と同様の構成については同様の符号を付していることに留意すべきである。
【０１２１】
図１８に示すように、制御部１３０は、図４に示した構成に加えて、領域判定部１３８を有する。
【０１２２】
領域判定部１３８は、制御の対象となる制御対象フレームにおいて、前景領域と背景領域とを判定する。具体的には、領域判定部１３８は、制御対象フレームと参照フレームとの差分に応じて、前景領域と背景領域とを判定する。なお、参照フレームは、時間軸上において制御対象フレームの前後に設けられたフレームである。
【０１２３】
続いて、領域判定部１３８は、ブロックマッチングなどの既存の方法によって、前景領域及び背景領域の動きベクトルを検出する。領域判定部１３８は、前景領域及び背景領域の動きベクトルに応じて、前景領域及び背景領域に対応する領域制御信号（Ｄ）をＹｅ成分調整部１３４に出力する。
【０１２４】
ここで、前景領域及び背景領域のうち、動きベクトルが小さい領域に対応する領域制御信号（Ｄ）は、動きベクトルが大きい領域に対応する領域制御信号（Ｄ）よりも大きいことに留意すべきである。
【０１２５】
Ｙｅ成分調整部１３４は、領域制御信号（Ｄ）を考慮して、赤調整信号Ｒ’、緑調整信号Ｇ’及び黄調整信号Ｙｅ’を算出する。具体的には、Ｙｅ成分調整部１３４は、以下の（式２６）〜（式２８）によって、赤調整信号Ｒ’、緑調整信号Ｇ’及び黄調整信号Ｙｅ’を算出する。
【数２４】
2010186184.tif 000026
【０１２６】
このように、前景領域及び背景領域のうち、動きベクトルが小さい領域における黄成分光Ｙｅの光量は、動きベクトルが大きい領域における黄成分光Ｙｅの光量よりも大きい。
【０１２７】
従って、例えば、背景領域よりも前景領域の動きベクトルが小さいパン映像では、前景領域の輝度が背景領域の輝度よりも強調され、動きベクトルが小さい前景領域が鮮明に表示される。一方で、前景領域よりも背景領域の動きベクトルが小さい定点撮像映像では、背景領域の輝度が前景領域の輝度よりも強調され、動きベクトルが大きい前景領域のちらつきなどが抑制される。
【０１２８】
［第５実施形態］
以下において、第５実施形態について図面を参照しながら説明する。以下においては、上述した第１実施形態と第５実施形態との相違点について主として説明する。
【０１２９】
上述した第１実施形態では、液晶パネル（液晶パネル３０Ｙｅ）から出射する黄成分光Ｙｅは、他の液晶パネルに照射されずに、投写レンズに導かれる。これに対して、第５実施形態では、液晶パネルから出射する黄成分光Ｙｅは、他の液晶パネルに照射された後に、投写レンズに導かれる。
【０１３０】
（照明ユニットの概略構成）
以下において、第５実施形態に係る照明ユニットの概略構成について、図面を参照しながら説明する。図１９は、第５実施形態に係る照明ユニット３２０の概略構成を示す図である。図１９では、光源２１０が発する光を均質化するフライアイレンズ、光源２１０が発する光の偏光方向を一の偏光方向（例えば、Ｐ偏光方向）に揃えるＰＢＳ（Ｐｏｌａｒｉｚｅｄ  Ｂｅａｍ  Ｓｐｌｉｔｔｅｒ）などが省略されていることに留意すべきである。
【０１３１】
図１９に示すように、照明ユニット３２０は、光源２１０と、複数の液晶パネル２３０（液晶パネル２３０Ｒ、液晶パネル２３０Ｇ及び液晶パネル２３０Ｂ）と、偏光切替素子２３０Ｙｅと、クロスダイクロイックキューブ２５０とを備える。なお、図１９では、投写レンズユニット３１０が図示されているが、投写レンズユニット３１０は照明ユニット３２０に含まれないことに留意すべきである。
【０１３２】
光源２１０は、白色光を発するＵＨＰランプなどである。すなわち、光源２１０が発する光は、赤成分光、緑成分光、青成分光及び黄成分光を少なくとも含む。
【０１３３】
液晶パネル２３０Ｒは、赤成分光の偏光方向を回転させることによって赤成分光を変調する。液晶パネル２３０Ｒに光が入射する側には、一の偏光方向を有する光（例えば、Ｐ偏光）を透過して、他の偏光方向を有する光（例えば、Ｓ偏光）を遮光する偏光板２３１Ｒが設けられる。一方で、液晶パネル２３０Ｒから光が出射する側には、他の偏光方向を有する光（例えば、Ｓ偏光）を透過して、一の偏光方向を有する光（例えば、Ｐ偏光）を遮光する偏光板２３２Ｒが設けられる。
【０１３４】
従って、液晶パネル２３０Ｒが赤成分光の偏光方向を回転させない場合には、偏光板２３１Ｒを透過した赤成分光が偏光板２３２Ｒで遮光されるため、赤成分光がクロスダイクロイックキューブ２５０に照射されない。一方で、液晶パネル２３０Ｒが赤成分光の偏光方向を回転させた場合には、偏光板２３１Ｒを透過した赤成分光が偏光板２３２Ｒを透過するため、赤成分光がクロスダイクロイックキューブ２５０に照射される。
【０１３５】
同様に、液晶パネル２３０Ｇは、緑成分光及び黄成分光の偏光方向を回転させることによって緑成分光及び黄成分光を変調する。液晶パネル２３０Ｇに光が入射する側には、一の偏光方向を有する光を透過して、他の偏光方向を有する光を遮光する偏光板２３１Ｇが設けられる。一方で、液晶パネル２３０Ｇから光が出射する側には、他の偏光方向を有する光を透過して、一の偏光方向を有する光を遮光する偏光板２３２Ｇが設けられる。
【０１３６】
液晶パネル２３０Ｂは、青成分光の偏光方向を回転させることによって青成分光を変調する。液晶パネル２３０Ｂに光が入射する側には、一の偏光方向を有する光を透過して、他の偏光方向を有する光を遮光する偏光板２３１Ｂが設けられる。一方で、液晶パネル２３０Ｂから光が出射する側には、他の偏光方向を有する光を透過して、一の偏光方向を有する光を遮光する偏光板２３２Ｂが設けられる。
【０１３７】
偏光切替素子２３０Ｙｅは、黄成分光の偏光方向を回転させることによって黄成分光を変調する。一方で、偏光切替素子２３０Ｙｅは、緑成分光の偏光方向を回転させずに緑成分光を透過する。
【０１３８】
第５実施形態では、偏光切替素子２３０Ｙｅは、黄成分光の偏光方向を０〜９０°の範囲内で回転させないか、黄成分光の偏光方向を９０°回転させるかを選択的に切り替える素子であることに留意すべきである。また、偏光切替素子２３０Ｙｅは、複数の分割領域（例えば、画素）毎に黄成分光の偏光方向を切り替える構成を有しておらず、偏光切替素子２３０Ｙｅに入射した全ての黄成分光の偏光方向を回転させる素子であることに留意すべきである。
【０１３９】
例えば、図２０（ａ）に示すように、偏光切替素子２３０Ｙｅは、偏光切替素子２３０Ｙｅに電圧が印加されていない状態（電源ＯＦＦ）では、緑成分光及び黄成分光の偏光方向を回転させずに、緑成分光及び黄成分光を透過する。
【０１４０】
一方で、図２０（ｂ）に示すように、偏光切替素子２３０Ｙｅは、偏光切替素子２３０Ｙｅに電圧が印加された状態（電源ＯＮ）では、黄成分光の偏光方向のみを９０°回転させて、緑成分光及び黄成分光を透過する。
【０１４１】
ここで、偏光切替素子２３０Ｙｅから出射された黄成分光及び緑成分光は、偏光板２３１Ｇに照射される。偏光板２３１Ｇは、一の偏光方向を有する光（例えば、Ｓ偏光）を透過して、他の偏光方向を有する光（例えば、Ｐ偏光）を遮光する。従って、偏光切替素子２３０Ｙｅが黄成分光の偏光方向を回転させるか否かによって、クロスダイクロイックキューブ２５０に到達する黄成分光の光量が制御される。
【０１４２】
クロスダイクロイックキューブ２５０は、液晶パネル２３０Ｒ、液晶パネル２３０Ｇ及び液晶パネル２３０Ｂから出射される光を合成する。すなわち、クロスダイクロイックキューブ２５０は、液晶パネル２３０Ｒから出射される赤成分光、液晶パネル２３０Ｇから出射される緑成分光及び黄成分光、及び、液晶パネル２３０Ｂから出射される青成分光を合成する。また、クロスダイクロイックキューブ２５０は、赤成分光、緑成分光、青成分光及び黄成分光を含む合成光（映像光）を投写レンズユニット３１０側に出射する。
【０１４３】
投写レンズユニット３１０は、上述したように、クロスダイクロイックキューブ２５０によって合成された合成光（映像光）をスクリーン２００上に投写する。
【０１４４】
照明ユニット３２０は、複数のミラー群（ミラー２２１〜ミラー２２５）を有する。ミラー２２１は、青成分光、緑成分光及び黄成分光を透過して、赤成分光を反射するダイクロイックミラーである。ミラー２２２は、緑成分光及び黄成分光を反射して、青成分光を透過するダイクロイックミラーである。ミラー２２３及びミラー２２４は、青成分光を反射して液晶パネル２３０Ｂ側に導くミラーである。ミラー２２５は、赤成分光を反射して液晶パネル２３０Ｒ側に導くミラーである。
【０１４５】
（第４色光変調素子の機能）
以下において、第５実施形態に係る第４色光変調素子の機能について、図面を参照しながら説明する。図２１は、第５実施形態に係る第４色光変調素子（偏光切替素子２３０Ｙｅ）の機能について説明するための図である。
【０１４６】
具体的には、図２１では、偏光切替素子２３０Ｙｅと偏光板２３１Ｇとの組合せが示されている。偏光切替素子Ｙｅ−１は、電圧が印加された状態（電源ＯＮ）で黄成分光の偏光方向のみを９０°回転させる素子である。一方で、偏光切替素子Ｙｅ−２は、電圧が印加されていない状態（電源ＯＦＦ）で黄成分光の偏光方向のみを９０°回転させる素子である。
【０１４７】
偏光板Ｇ−１は、Ｐ偏光を有する光を透過して、Ｓ偏光を有する光を遮光する素子である。偏光板Ｇ−１は、例えば、光源２１０が発する光がＰ偏光に揃えられる場合に用いられる。一方で、偏光板Ｇ−２は、Ｓ偏光を有する光を透過して、Ｐ偏光を有する光を遮光する素子である。偏光板Ｇ−２は、例えば、光源２１０が発する光がＳ偏光に揃えられる場合に用いられる。
【０１４８】
図２１に示すように、光源２１０が発する光がＰ偏光に揃えられるケースにおいて、偏光切替素子Ｙｅ−１を用いる場合について考えると、クロスダイクロイックキューブ２５０に到達する黄成分光の光量は、偏光切替素子Ｙｅ−１に電圧が印加されていない状態（電源ＯＦＦ）で最大となる。一方で、偏光切替素子Ｙｅ−２を用いる場合について考えると、クロスダイクロイックキューブ２５０に到達する黄成分光の光量は、偏光切替素子Ｙｅ−２に電圧が印加された状態（電源ＯＮ）で最大となる。
【０１４９】
次に、光源２１０が発する光がＳ偏光に揃えられるケースにおいて、偏光切替素子Ｙｅ−１を用いる場合について考えると、クロスダイクロイックキューブ２５０に到達する黄成分光の光量は、偏光切替素子Ｙｅ−１に電圧が印加されていない状態（電源ＯＦＦ）で最大となる。一方で、偏光切替素子Ｙｅ−２を用いる場合について考えると、クロスダイクロイックキューブ２５０に到達する黄成分光の光量は、偏光切替素子Ｙｅ−２に電圧が印加された状態（電源ＯＮ）で最大となる。
【０１５０】
（投写型映像表示装置の機能）
以下において、第５実施形態に係る投写型映像表示装置の機能について、図面を参照しながら説明する。制御部１３０の機能を示すブロックは、上述した第１実施形態と同様であることに留意すべきである（図４を参照）。
【０１５１】
ここで、第５実施形態では、図２２に示すように、偏光切替素子２３０Ｙｅから出射された黄成分光は、液晶パネル２３０Ｇに照射される。従って、黄成分光については、偏光切替素子２３０Ｙｅの透過率（ｑ）だけではなくて、液晶パネル２３０Ｇの透過率（ｐ）についても考慮する必要がある。なお、透過率（ｐ）は、上述した緑用出力信号Ｇｏｕｔによって制御されることに留意すべきである。同様に、透過率（ｑ）は、上述した黄用出力信号Ｙｅｏｕｔによって制御されることに留意すべきである。
【０１５２】
光源２１０が発する緑成分光ＧをＧＭＡＸとした場合には、液晶パネル２３０Ｇから出射される緑成分光Ｇの光量は、“ＧＭＡＸ×ｐ”で表される。一方で、光源２１０が発する黄成分光ＹｅをＹｅＭＡＸとした場合には、偏光切替素子２３０Ｙｅから出射される黄成分光Ｙｅの光量は、“ＹｅＭＡＸ×ｑ”で表される。従って、液晶パネル２３０Ｇから出射される黄成分光Ｙｅの光量は、“ＹｅＭＡＸ×ｐ×ｑ”で表される。
【０１５３】
ここで、黄成分光Ｙｅを緑成分光Ｇに重畳させるケースについて考える。このケースでは、液晶パネル２３０Ｇから出射される緑成分光Ｇの光量（“ＧＭＡＸ×ｐ”）は、緑入力信号Ｇｉｎに相当する光量（ＩＮ）から黄成分光Ｙｅの光量（“ＹｅＭＡＸ×ｐ×ｑ”）を減算したものである。
【０１５４】
ここで、緑入力信号Ｇｉｎに相当する光量から減算する光量を“Ｘ”で表した場合には、液晶パネル２３０Ｇの透過率（ｐ）、すなわち、緑用出力信号Ｇｏｕｔは以下の（式２９）〜（式３１）によって算出される。
【数２５】
2010186184.tif 000027
【０１５５】
このように、緑用出力信号Ｇｏｕｔは、緑入力信号Ｇｉｎに相当する光量から減算する光量（Ｘ）を基準として制御される。
【０１５６】
［第６実施形態］
以下において、第６実施形態について図面を参照しながら説明する。以下においては、上述した第１実施形態と第６実施形態との相違点について主として説明する。
【０１５７】
具体的には、上述した第１実施形態では特に触れていないが、Ｙｅ置換信号Ｗは、黄成分光Ｙｅの光量（すなわち、黄用出力信号Ｙｅｏｕｔ）を制御可能な制御対象領域毎に算出される。制御対象領域は、液晶パネル３０Ｙｅの解像度に応じて定められる。制御対象領域は、液晶パネル３０Ｙｅの映像表示面（フレーム）全体であってもよく、液晶パネル３０Ｙｅに設けられた複数の分割領域（画素やブロック）であってもよい。
【０１５８】
一方で、映像入力信号（赤入力信号Ｒｉｎ、緑入力信号Ｇｉｎ及び青入力信号Ｂｉｎ）は、液晶パネル３０に設けられた各画素を制御するための信号である。従って、Ｙｅ置換信号Ｗの算出では、制御対象領域に相当する映像入力信号の合計値や平均値などが用いられる。
【０１５９】
また、映像出力信号（赤用出力信号Ｒｏｕｔ、緑用出力信号Ｇｏｕｔ及び青用出力信号Ｂｏｕｔ）は、映像入力信号と同様に、液晶パネル３０に設けられた各画素を制御するための信号である。
【０１６０】
第６実施形態では、黄用出力信号Ｙｅｏｕｔの制御対象領域（フレームやブロック）が他の映像出力信号（赤用出力信号Ｒｏｕｔ、緑用出力信号Ｇｏｕｔ及び青用出力信号Ｂｏｕｔ）の制御対象領域（画素）よりも大きいケースについて考える。このようなケースでは、赤用出力信号Ｒｏｕｔや緑用出力信号Ｇｏｕｔの算出において、Ｙｅ置換信号Ｗの影響を除去しきれない場合がある。
【０１６１】
第６実施形態では、赤入力信号Ｒｉｎや緑入力信号Ｇｉｎを減少させるだけではなくて、青入力信号Ｂｉｎを増加させることによって、黄成分光Ｙｅの重畳に起因する色バランスの悪化を防ぐ。
【０１６２】
（投写型映像表示装置の機能）
以下において、第６実施形態に係る投写型映像表示装置の機能について、図面を参照しながら説明する。制御部１３０の機能を示すブロックは、上述した第１実施形態と同様であることに留意すべきである（図４を参照）。
【０１６３】
以下においては、制御対象領域に含まれる画素のうち、Ｙｅ置換信号Ｗが赤入力信号Ｒｉｎ又は緑入力信号Ｇｉｎよりも大きい画素について考える。なお、Ｙｅ置換信号Ｗは、制御対象領域に相当する映像入力信号（赤入力信号Ｒｉｎや緑入力信号Ｇｉｎ）の合計値又は平均値に基づいて、Ｙｅ置換成分算出部１３２によって算出された値である。
【０１６４】
なお、第１実施形態と同様に、赤用入力信号及び緑用入力信号は、黄成分光Ｙｅが再現する黄色Ｙｅの補色（青色Ｂ）とは異なる色（赤色Ｒ及び緑色Ｇ）に対応する信号（参照信号）である。青入力信号Ｂｉｎは、黄成分光Ｙｅが再現する黄色Ｙｅの補色（青色Ｂ）に対応する信号である。
【０１６５】
Ｙｅ成分調整部１３４は、以下の（式４１）〜（式４３）に従って、各第１中間信号（赤用中間信号Ｒ１１、緑用中間信号Ｇ１１及び青用中間信号Ｂ１１）を算出する。
【数２６】
2010186184.tif 000028
【０１６６】
なお、ｍｉｎ（Ｒｉｎ，Ｇｉｎ）は、第１実施形態と同様に、赤入力信号Ｒｉｎ及び緑入力信号Ｇｉｎのうち、信号強度が低い入力信号である。従って、赤用中間信号Ｒ１１及び緑用中間信号Ｇ１１のいずれか一方は“０”である。なお、ｍｉｎ（Ｒｉｎ，Ｇｉｎ）は、赤用入力信号及び緑用入力信号（参照信号）の減算量に相当する。
【０１６７】
続いて、Ｙｅ成分調整部１３４は、以下の（式４４）〜（式４６）に従って、各第２中間信号（赤用中間信号Ｒ１２、緑用中間信号Ｇ１２及び青用中間信号Ｂ１２）を算出する。
【数２７】
2010186184.tif 000029
【０１６８】
ここで、“Ｗ−ｍｉｎ（Ｒｉｎ，Ｇｉｎ）”は、赤入力信号Ｒｉｎ又は緑入力信号ＧｉｎからＹｅ置換信号Ｗを減算しきれなかった値であることに留意すべきである。すなわち、“Ｗ−ｍｉｎ（Ｒｉｎ，Ｇｉｎ）”は、黄用出力信号Ｙｅｏｕｔ（Ｙｅ置換信号Ｗ）と参照信号（赤入力信号Ｒｉｎ及び緑入力信号Ｇｉｎ）の減算量との差分である。“Ａ”は、青入力信号Ｂｉｎの加算量を調整するための係数（補色光加算係数）である。
【０１６９】
このように、Ｙｅ成分調整部１３４は、第４色用出力信号（黄用出力信号Ｙｅｏｕｔ）に応じて、参照信号（赤入力信号Ｒｉｎ及び緑入力信号Ｇｉｎ）の減算量を算出する。続いて、Ｙｅ成分調整部１３４は、第４色用出力信号（黄用出力信号Ｙｅｏｕｔ）と参照信号（赤入力信号Ｒｉｎ及び緑入力信号Ｇｉｎ）の減算量との差分に応じて、第４色成分光（黄成分光Ｙｅ）が再現する色（黄色Ｙｅ）の補色（青色Ｂ）に対応する青入力信号Ｂｉｎの増加量を算出する。
【０１７０】
なお、出力部１３５は、赤用中間信号Ｒ１２を赤用出力信号Ｒｏｕｔとして液晶パネル３０Ｒに出力する。出力部１３５は、緑用中間信号Ｇ１２を緑用出力信号Ｇｏｕｔとして液晶パネル３０Ｇに出力する。出力部１３５は、青用中間信号Ｂ１２を青用出力信号Ｂｏｕｔとして液晶パネル３０Ｂに出力する。出力部１３５は、Ｙｅ置換信号Ｗを黄用出力信号Ｙｅｏｕｔとして液晶パネル３０Ｙｅに出力する。
【０１７１】
なお、第６実施形態では特に触れていないが、各映像出力信号は、上述した色再現パラメータα、輝度パラメータβ１及び輝度パラメータβ２などによって調整されてもよいことは勿論である。
【０１７２】
（映像出力信号の算出例）
以下にいて、第６実施形態に係る映像出力信号の算出例について説明する。以下においては、Ｙｅ置換信号Ｗ（すなわち、黄用出力信号Ｙｅｏｕｔ）が“８０”であり、赤入力信号Ｒｉｎ、緑入力信号Ｇｉｎ及び青入力信号Ｂｉｎの信号値（Ｒｉｎ，Ｇｉｎ，Ｂｉｎ）が（５０，１００，５０）である画素について考える。
【０１７３】
なお、黄用出力信号Ｙｅｏｕｔが（Ｒｏｕｔ，Ｇｏｕｔ，Ｂｏｕｔ）＝（８０，８０，０）によって置換可能であり、補色光加算係数Ａが“１”であることを前提とする。
【０１７４】
最初に、各第１中間信号が上述した（式４１）〜（式４３）に従って算出される。
【０１７５】
Ｒ１１＝Ｒｉｎ−ｍｉｎ（Ｒｉｎ，Ｇｉｎ）＝５０−５０＝０
Ｇ１１＝Ｇｉｎ−ｍｉｎ（Ｒｉｎ，Ｇｉｎ）＝１００−５０＝５０
Ｂ１１＝Ｂｉｎ＝５０
次に、各第２中間信号が上述した（式４４）〜（式４６）に従って算出される。
【０１７６】
Ｒ１２＝Ｒ１１＝０
Ｇ１２＝Ｇ１１＝５０
Ｂ１２＝Ｂ１１＋Ａ（Ｗ−ｍｉｎ（Ｒｉｎ，Ｇｉｎ））＝５０＋（８０−５０）＝８０
すなわち、赤用出力信号Ｒｏｕｔ、緑用出力信号Ｇｏｕｔ及び青用出力信号Ｂｏｕｔの信号値（Ｒｏｕｔ，Ｇｏｕｔ，Ｂｏｕｔ）は、（０，５０，８０）である。
【０１７７】
最終的には、赤用出力信号Ｒｏｕｔ、緑用出力信号Ｇｏｕｔ及び青用出力信号Ｂｏｕｔに黄用出力信号Ｙｅｏｕｔが加算される。従って、投写型映像表示装置１００から出射される各色成分光に対応する信号値（Ｒ，Ｇ，Ｂ）は、（８０，１３０，８０）である。
【０１７８】
ここで、赤、緑及び青の信号値によって再現される光の色相は、以下の（式４７）〜（式４９）に従って算出される。
【数２８】
2010186184.tif 000030
【０１７９】
ここで、入力映像信号（５０，１００，５０）の色相（Ｈ）は、（式４８）を用いて算出される。すなわち、入力映像信号（５０，１００，５０）の色相（Ｈ）は“１２０”である。
【０１８０】
同様に、投写型映像表示装置１００から出射される映像光（８０，１３０，８０）の色相（Ｈ）は、（式４８）を用いて算出される。具体的には、映像光（８０，１３０，８０）の色相（Ｈ）は“１２０”である。
【０１８１】
このように、赤入力信号Ｒｉｎや緑入力信号Ｇｉｎを減少させるだけではなくて、青入力信号Ｂｉｎを増加させることによって、投写型映像表示装置１００から出射される映像光の色相が入力映像信号の色相からずれることが抑制される。
【０１８２】
（従来手法の第１例）
従来手法の第１例では、赤入力信号Ｒｉｎ及び緑入力信号Ｇｉｎのうち、小さい方の入力信号に相当するＹｅ置換信号Ｗが、赤入力信号Ｒｉｎ及び緑入力信号Ｇｉｎの双方から減算される。
【０１８３】
上述した“映像出力信号の算出例”と同様に、赤入力信号Ｒｉｎ、緑入力信号Ｇｉｎ及び青入力信号Ｂｉｎの信号値（Ｒｉｎ，Ｇｉｎ，Ｂｉｎ）が（５０，１００，５０）である画素について考える。なお、Ｙｅ置換信号Ｗ（すなわち、黄用出力信号Ｙｅｏｕｔ）は“８０”であり、（Ｒｏｕｔ，Ｇｏｕｔ，Ｂｏｕｔ）＝（８０，８０，０）によって置換可能であることを前提とする。
【０１８４】
従来手法の第１例では、赤用出力信号Ｒｏｕｔ、緑用出力信号Ｇｏｕｔ及び青用出力信号Ｂｏｕｔは、以下の通りである。
【０１８５】
Ｒｏｕｔ＝５０−５０＝０
Ｇｏｕｔ＝１００−５０＝５０
Ｂｏｕｔ＝５０
従来手法の第１例では、投写型映像表示装置１００から出射される各色成分光に対応する信号値（Ｒ，Ｇ，Ｂ）は、（８０，１３０，５０）である。投写型映像表示装置１００から出射される映像光の色相（Ｈ）は、（式４８）を用いて算出される。具体的には、映像光（８０，１３０，８０）の色相（Ｈ）は“９７．５”である。
【０１８６】
（従来手法の第２例）
従来手法の第２例では、Ｙｅ置換信号Ｗが、赤入力信号Ｒｉｎ及び緑入力信号Ｇｉｎの双方から可能な限り減算される。
【０１８７】
上述した“映像出力信号の算出例”と同様に、赤入力信号Ｒｉｎ、緑入力信号Ｇｉｎ及び青入力信号Ｂｉｎの信号値（Ｒｉｎ，Ｇｉｎ，Ｂｉｎ）が（５０，１００，５０）である画素について考える。なお、Ｙｅ置換信号Ｗ（すなわち、黄用出力信号Ｙｅｏｕｔ）は“８０”であり、（Ｒｏｕｔ，Ｇｏｕｔ，Ｂｏｕｔ）＝（８０，８０，０）によって置換可能であることを前提とする。
【０１８８】
従来手法の第２例では、赤用出力信号Ｒｏｕｔ、緑用出力信号Ｇｏｕｔ及び青用出力信号Ｂｏｕｔは、以下の通りである。
【０１８９】
Ｒｏｕｔ＝５０−５０＝０
Ｇｏｕｔ＝１００−８０＝２０
Ｂｏｕｔ＝５０
従来手法の第２例では、投写型映像表示装置１００から出射される各色成分光に対応する信号値（Ｒ，Ｇ，Ｂ）は、（８０，１００，５０）である。投写型映像表示装置１００から出射される映像光の色相（Ｈ）は、（式４８）を用いて算出される。具体的には、映像光（８０，１００，５０）の色相（Ｈ）は“８４”である。
【０１９０】
ここで、図２３は、従来手法（第１例及び第２例）及び第６実施形態の関係について示す図である。図２３に示すように、映像入力信号に相当するポイントＰ１（５０，１００，５０）は、黄成分光Ｙｅの重畳によってポイントＰ２（１３０，１８０，５０）にシフトする。また、赤入力信号ＲｉｎからＹｅ置換信号Ｗを減算すると、ポイントＰ２（１３０，１８０，５０）はポイントＰ３（８０，１８０，５０）にシフトする。
【０１９１】
上述した従来手法の第１例では、赤入力信号Ｒｉｎ及び緑入力信号Ｇｉｎのうち、小さい方の入力信号に相当するＹｅ置換信号Ｗが緑入力信号Ｇｉｎから減算される。従って、ポイントＰ３（８０，１８０，５０）はポイントＰ４（８０，１３０，５０）にシフトする。
【０１９２】
上述した従来手法の第２例では、Ｙｅ置換信号Ｗが緑入力信号Ｇｉｎから可能な限り減算される。従って、ポイントＰ３（８０，１８０，５０）はポイントＰ５（８０，１００，５０）にシフトする。
【０１９３】
第６実施形態では、赤入力信号Ｒｉｎ及び緑入力信号Ｇｉｎのうち、小さい方の入力信号に相当するＹｅ置換信号Ｗが緑入力信号Ｇｉｎから減算された上で、赤入力信号Ｒｉｎ及び緑入力信号Ｇｉｎから減算しきれなかったＹｅ置換信号Ｗが青入力信号Ｂｉｎに加算される。従って、ポイントＰ３（８０，１８０，５０）はポイントＰ４（８０，１３０，５０）を経由してポイントＰ６（８０，１３０，８０）にシフトする。
【０１９４】
ここで、色相は、ホワイトポイントから色度図の外周（単色における波長を示す線）と考えられる。映像入力信号に対応する色相は、ホワイトポイントＷＰからポイントＰ１を通って色度図の外周（５２０ｎｍ近傍）に至るベクトルである。
【０１９５】
従来手法の第１例に対応する色相は、ホワイトポイントＷＰからポイントＰ４を通って色度図の外周（５４０ｎｍ近傍）に至るベクトルである。従来手法の第２例に対応する色相は、ホワイトポイントＷＰからポイントＰ５を通って色度図の外周（５５０ｎｍ近傍）に至るベクトルである。第６実施形態に対応する色相は、ホワイトポイントＷＰからポイントＰ６を通って色度図の外周（５２０ｎｍ近傍）に至るベクトルである。
【０１９６】
このように、上述した計算結果及び図２３から明らかなように、第６実施形態によれば、従来手法に比べて、投写型映像表示装置１００から出射される映像光の色相が入力映像信号の色相からずれることが抑制される。
【０１９７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１９８】
例えば、投写型映像表示装置１００は、第４色成分光としてシアン成分光Ｃｙを利用してもよい。この場合には、シアン用出力信号Ｃｙｏｕｔは、赤入力信号Ｒｉｎ、緑入力信号Ｇｉｎ及び青入力信号Ｂｉｎのうち、シアン成分光Ｃｙが再現する色の補色（赤色Ｒ）とは異なる色（緑色Ｇ及び青色Ｂ）に対応する緑入力信号Ｇｉｎ及び青入力信号Ｂｉｎに基づいて生成される。
【０１９９】
同様に、投写型映像表示装置１００は、第４色成分光としてマゼンタ成分光Ｍを利用してもよい。この場合には、マゼンタ用出力信号Ｍｏｕｔは、赤入力信号Ｒｉｎ、緑入力信号Ｇｉｎ及び青入力信号Ｂｉｎのうち、マゼンタ成分光Ｍが再現する色の補色（緑色Ｇ）とは異なる色（赤色Ｒ及び青色Ｂ）に対応する赤入力信号Ｒｉｎ及び青入力信号Ｂｉｎに基づいて生成される。
【０２００】
上述した実施形態では、黄用出力信号Ｙｅｏｕｔは、色再現パラメータα及び輝度パラメータβ１を用いて生成されるが、これに限定されるものではない。具体的には、黄用出力信号Ｙｅｏｕｔは、色再現パラメータαのみを用いて生成されてもよく、輝度パラメータβ１のみを用いて生成されてもよい。黄用出力信号Ｙｅｏｕｔは、輝度パラメータβ２のみを用いて生成されてもよい。黄用出力信号Ｙｅｏｕｔは、輝度パラメータβ１及び輝度パラメータβ２を用いて生成されてもよい。なお、色再現パラメータα、輝度パラメータβ１及び輝度パラメータβ２が適宜組み合わされて黄用出力信号Ｙｅｏｕｔが生成されてもよい。
【０２０１】
上述した実施形態では、各成分光は、個体光源が発する光であるが、これに限定されるものではない。具体的には、各成分光は、ＵＨＰランプなどの白色光源が発する光が分離された光であってもよい。
【０２０２】
上述した実施形態では、制御部１３０が投写型映像表示装置１００に設けられているが、これに限定されるものではない。具体的には、制御部１３０が単体で提供されてもよい。
【０２０３】
上述した実施形態では、映像表示装置として投写型映像表示装置１００を例示しているが、これに限定されるものではなく、映像表示装置は映像を表示可能な装置であればよい。
【０２０４】
上述した第５実施形態では、偏光切替素子２３０Ｙｅは、黄成分光の偏光方向を回転させるか否かを選択的に切り替える素子であるが、これに限定されるものではない。具体的には、偏光切替素子２３０Ｙｅは、０〜９０°の範囲で黄成分光の偏光方向を回転させる素子であってもよい。
【符号の説明】
【０２０５】
１０・・・光源、３０・・・液晶パネル、５１・・・ダイクロイックキューブ、５３・・・ダイクロイックキューブ、７１〜７８・・・レンズ、１００・・・投写型映像表示装置、１１０・・・投写レンズ、１２０・・・照明ユニット、１３０・・・制御部、１３１・・・入力信号受付部、１３２・・・Ｙｅ置換成分算出部、１３３・・・パラメータ特定部、１３４・・・Ｙｅ成分調整部、１３５・・・出力部、１３６・・・共通成分抽出部、１３７・・・視感度調整部、２００・・BR>E・スクリーン、２１０・・・光源、２２１〜２２５・・・ミラー、２３０・・・液晶パネル、２３０Ｙｅ・・・偏光切替素子、２３１、２３２・・・偏光板、２５０・・・クロスダイクロイックキューブ、３１０・・・投写レンズユニット、３２０・・・照明ユニット
【図１】
2010186184.tif 000031
【図２】
2010186184.tif 000032
【図３】
2010186184.tif 000033
【図４】
2010186184.tif 000034
【図５】
2010186184.tif 000035
【図６】
2010186184.tif 000036
【図７】
2010186184.tif 000037
【図８】
2010186184.tif 000038
【図９】
2010186184.tif 000039
【図１０】
2010186184.tif 000040
【図１１】
2010186184.tif 000041
【図１２】
2010186184.tif 000042
【図１３】
2010186184.tif 000043
【図１４】
2010186184.tif 000044
【図１５】
2010186184.tif 000045
【図１６】
2010186184.tif 000046
【図１７】
2010186184.tif 000047
【図１８】
2010186184.tif 000048
【図１９】
2010186184.tif 000049
【図２０】
2010186184.tif 000050
【図２１】
2010186184.tif 000051
【図２２】
2010186184.tif 000052
【図２３】
2010186184.tif 000053